(57)【要約】【課題】  本発明は、移動棚列と、固定棚列の引戸の移動を同時にロックする移動棚の施錠装置に関するもので、全体として安価に製作でき、操作性に優れた移動棚の施錠装置を提供することを課題とする。【解決手段】移動棚体は、基台と、基台上に着脱自在に取り付けられる棚本体より構成され、施錠装置は、基台の側面に取り付けられるシリンダー錠と、シリンダー錠に連動して回動する作動板と、作動板に連動して、移動棚支持台の係合孔に係脱自在となる係合突起を有する第１施錠杆と、作動板の回動に連動して、引戸の開放側の側方に後端部が出入自在となる第２施錠杆より構成され、第１施錠杆の作動板側の端部と作動板は回動可能に枢着され、作動板側の端部と反対側の端部は、基台に回動かつ前後動可能に支持され、第２施錠杆の作動板側の端部と作動板は、回動可能に枢着され、作動板側の端部と反対側の端部は、基台に前後動可能に保持されているものである。【選択図】図３
2014168488.tif 000002
【特許請求の範囲】
【請求項１】
複数個の固定棚体を左右方向に一列上に並設して固定棚列とし、該固定棚列の前側に配設した移動棚支持台上に固定棚体より一つ少ない数の移動棚体を各々単独に左右方向に移動自在に設けて移動棚列とし、移動棚列を固定棚列の一方側に位置させて、固定棚列の前面を覆い、かつ、固定棚列の他方側の固定棚体の前面を引戸により覆うことができるようにし、前記移動棚列と、引戸の移動を同時にロックする移動棚の施錠装置において、移動棚体は、移動棚支持台に設けられたレール上を転動する走行輪を有する基台と、基台上に着脱自在に取り付けられる棚本体より構成され、施錠装置は、固定棚体の前面を覆う引戸側の基台の側面に取り付けられるシリンダー錠と、シリンダー錠に設けられたキー溝に合致したキーの回転に連動して回動する作動板と、作動板の回動に連動して、移動棚支持台の所定位置に形成された係合孔に係脱自在となる係合突起を有する第１施錠杆と、作動板の回動に連動して、引戸の開放側の側方に後端部が出入自在となる第２施錠杆より構成され、第１施錠杆の作動板側の端部と作動板は回動可能に枢着され、作動板側と反対側の端部は、基台に回動かつ前後動可能に支持され、第２施錠杆の作動板側の端部と作動板は、回動可能に枢着され、作動板側の端部と反対側の端部は、基台に前後動可能に保持されていることを特徴とする移動棚の施錠装置。
【発明の詳細な説明】
【技術分野】
【０００１】
本発明は、複数個の固定棚体を左右方向に一列上に並設して固定棚列とし、該固定棚列の前側に配設した移動棚支持台上に固定棚体より一つ少ない数の移動棚体を各々単独に左右方向に移動自在に設けて移動棚列とし、移動棚列を固定棚列の一方側に位置させて、固定棚列の前面を覆い、かつ、固定棚列の一端の固定棚体の前面を引戸により覆うことができるようにし、前記移動棚列と、引戸の移動を同時にロックする移動棚の施錠装置に関するものである。
【背景技術】
【０００２】
従来、上記移動棚列をロックする装置として、移動棚体の内方に上下方向に移動しうる第１施錠杆を設け、移動棚支持台に第１施錠杆の下端が嵌入しうる嵌合孔を設け、さらに、移動棚体の内方に適宜手段をもって左右軸まわりに回動しうるように枢着された連係金具の前端を、前記第１施錠杆に係合するとともに、其の垂下端を前後方向を向く第２連係杆の前端に枢着し、第２連係杆が後退した時に、第２連係杆の後端が、固定棚体の前面を覆う引戸の開放側の側方に位置するようにして、引戸の開放を阻止した移動棚のロック装置が提供されている。（例えば特許文献１）
【０００３】
そして、一般的には、前列に配される移動棚体の前面には開き戸が設けられ、この開き戸を施錠することで、移動棚内部に収納された物品の防盗を図っている。しかしながら、上記ロック装置の場合、第１施錠杆が移動棚体の内方に設けられているので、移動棚体の開き戸を施錠してしまうと、第１施錠杆の操作ができず、移動棚、引戸の移動をロックすることができなかった。
したがって、再度、開き戸を解錠して開放し、開放した状態で第１施錠杆を操作し、その後、再び開き戸を閉鎖して施錠する必要があり、操作性が非常に悪かった。
また、使用箇所、使用目的に応じて、引戸と共に移動がロックされる前列の移動棚体として、複数の仕様の移動棚体（開き戸仕様、引き出し仕様、引き違戸仕様、各仕様を組み合わせた仕様）から、使用箇所、使用目的、収納物に応じて、最適なものが選択されるが、第１施錠杆等が移動棚体の内方に設けられているので、すべての移動棚体を、第１施錠杆、連係金具、第２連係杆が取り付けられる仕様にしておく必要があり、全体として高価なものとなっていた。
【先行技術文献】
【特許文献】
【０００４】
【特許文献１】実開昭５２−１３９０１８号公報
【発明の概要】
【発明が解決しようとする課題】
【０００５】
本発明は、全体として安価に製作でき、操作性に優れた移動棚の施錠装置を提供することを課題とする。
【課題を解決するための手段】
【０００６】
上記課題を解決する為、本発明が第１の手段として構成したところは、複数個の固定棚体を左右方向に一列上に並設して固定棚列とし、該固定棚列の前側に配設した移動棚支持台上に固定棚体より一つ少ない数の移動棚体を各々単独に左右方向に移動自在に設けて移動棚列とし、移動棚列を固定棚列の一方側に位置させて、固定棚列の前面を覆い、かつ、固定棚列の他方側の固定棚体の前面を引戸により覆うことができるようにし、前記移動棚列と、引戸の移動を同時にロックする移動棚の施錠装置において、移動棚体は、移動棚支持台に設けられたレール上を転動する走行輪を有する基台と、基台上に着脱自在に取り付けられる棚本体より構成され、施錠装置は、固定棚体の前面を覆う引戸側の基台の側面に取り付けられるシリンダー錠と、シリンダー錠に設けられたキー溝に合致したキーの回転に連動して回動する作動板と、作動板の回動に連動して、移動棚支持台の所定位置に形成された係合孔に係脱自在となる係合突起を有する第１施錠杆と、作動板の回動に連動して、引戸の開放側の側方に後端部が出入自在となる第２施錠杆より構成され、第１施錠杆の作動板側の端部と作動板は回動可能に枢着され、作動板側と反対側の端部は、基台に回動かつ前後動可能に支持され、第２施錠杆の作動板側の端部と作動板は、回動可能に枢着され、作動板側の端部と反対側の端部は、基台に前後動可能に保持されているものである。
【発明の効果】
【０００７】
第１手段として構成したところによると、移動棚体は走行輪を有する基台と、基台上に着脱自在に取り付けられる棚本体より構成されているので、施錠装置が取り付けられる構成を一つの基台に設けておくことにより、数々の仕様の棚本体を基台に取り付けることにより、使用箇所、使用目的、収納物に応じて、いずれの移動棚体も、移動棚列と引き戸の移動を同時にロックする施錠用の移動棚体とすることができるので、移動棚全体として安価に製作できる。
さらに、一つのシリンダー錠で引戸と移動棚列の移動を防止できるので、固定棚列の前面を移動棚列と引戸で覆い、さらに各移動棚体の前面を覆う開き戸等を施錠することで、防盗性、耐震性にすぐれ、開き戸等を施錠した後であっても、移動棚の施錠に支障をきたすこともなく、操作性にも優れている。
【図面の簡単な説明】
【０００８】
【図１】本発明の要部縦断面図である。
【図２】本発明の要部横断面図である。
【図３】施錠状態の本発明の要部縦断面図である。
【図４】Ａ部拡大図である。
【図５】Ｂ部拡大図である。
【図６】Ｃ部拡大図である。
【図７】施錠装置の各部材の説明図である。
【発明を実施するための形態】
【０００９】
複数個の固定棚体を左右方向に一列上に並設して固定棚列とし、該固定棚列の前側に配設した移動棚支持台上に固定棚体より一つ少ない数の移動棚体を各々単独に左右方向に移動自在に設けて移動棚列とし、移動棚列を固定棚列の一方側に位置させて、固定棚列の前面を覆い、かつ、固定棚列の他方側の固定棚体の前面を引戸により覆うことができるようにし、前記移動棚列と、引戸の移動を同時にロックする移動棚の施錠装置において、移動棚体は、移動棚支持台に設けられたレール上を転動する走行輪を有する基台と、基台上に着脱自在に取り付けられる棚本体より構成され、施錠装置は、固定棚体の前面を覆う引戸側の基台の側面に取り付けられるシリンダー錠と、シリンダー錠に設けられたキー溝に合致したキーの回転に連動して回動する作動板と、作動板の回動に連動して、移動棚支持台の所定位置に形成された係合孔に係脱自在となる係合突起を有する第１施錠杆と、作動板の回動に連動して、引戸の開放側の側方に後端部が出入自在となる第２施錠杆より構成され、第１施錠杆の作動板側の端部と作動板は回動可能に枢着され、作動板側の端部と反対側の端部は、基台に回動かつ前後動可能に支持され、第２施錠杆の作動板側の端部と作動板は、回動可能に枢着され、作動板側の端部と反対側の端部は、基台に前後動可能に保持されているものである。
【実施例】
【００１０】
以下、実施例を添付図面に基づいて詳述する。
図１、図２において、符号１は固定棚体を示し、符合２は、複数個の固定棚体１・・・を左右方向に一列上に並設して構成された固定棚列の前側に配設された移動棚体支持台を示し、符号３は、移動棚体支持台２上に左右方向に移動自在に設けられた移動棚体を示している。
【００１１】
そして、移動棚体支持台２上に固定棚体１・・・より一つ少ない数の移動棚体３・・・を各々単独に左右方向に移動自在に設けて移動棚列を構成し、固定棚列と移動棚体支持台２と移動棚列より移動棚を構成している。
符号３０は、移動棚体３の前面に設けられた開閉自在な扉を示し、符号１０は、移動棚列を固定棚列の左右一方側によせた時、反対側に位置する一個多い固定棚体１の前面に開閉自在に設けられる引戸を示している。
【００１２】
移動棚体支持台２は、固定棚体１と同幅の複数個の固定ベース体２１・・・を、左右方向と、固定棚体１・・・に連結して構成されている。
固定ベース体２１は、移動棚体３を左右方向に移動自在に支持する前後一対のレール２２、２２を左右方向全幅に備え、前後一対のレール２２、２２間にはベースカバー２３が設けられている。
そして、所定のベースカバー２３の上面には後述する施錠装置６の係合孔２３０が形成されている。
【００１３】
そして、移動棚体支持台２の左右端部側に位置する固定ベース体２１、２１の左右端部側には、移動防止突壁が取り付けられ、前後一対のレール２２、２２の左右端部側を閉塞し、移動棚体３・・・が移動棚体支持台２から脱落するのを防止している。
また、移動棚列を固定棚列の左右方向の一方側に位置させたとき、他方側の一つ多い固定棚体１と、その隣の固定棚体１が位置する固定ベース体２１、２１の後端部には、上方に突出して、引戸１０の下端部に嵌合する引戸下部支持レール２４が取り付けられている。
【００１４】
移動棚体３は、移動棚体支持台２（固定ベース体２１・・・）に設けられたレール２２、２２上を転動する走行車輪５３・・・を有する基台５と、基台５上に着脱自在に取り付けられる棚本体３１より構成され、基台５には施錠装置６が組み込まれている。
【００１５】
基台５は縦断面略コ字形の前後左右枠５１、５１、５２、５２を額縁状に組み合わせて構成された基枠の左右端部側の前後方向に補強材を配設し、基枠と補強材間の所定位置に車輪支持座が取り付けられ、車輪支持座に走行車輪５３・・・が設けられている。
【００１６】
施錠装置６は実施例では、右側によせられた移動棚列の左側端部に位置する移動棚体３の基台５に設けられている。
施錠装置６は左枠５２の側面に取り付けられたシリンダー錠６１と、シリンダー錠６１の施錠操作に連動して回動する作動板６２と、作動板６２の回動に連動して、移動棚体支持台２の所定位置に形成された係合孔２３０に係脱自在となる係合突起６３０を有する第１施錠杆６３と、作動板６２の回動に連動して、移動棚列より一個多い固定棚体の前面を覆う引戸３０の開放側の側方に後端部が出入自在となる第２施錠杆６４より構成されている。
【００１７】
シリンダー錠６１は、キー溝が左枠５２の側面の外側に臨んだ状態で、所定手段もって左枠に連結され、後端部にキー溝に合致したキーの回転に連動する略楕円形の嵌合突起６１１が後端面に突出して設けられている。
作動板６２は、シリンダー錠６１の後端面に突出する嵌合突起６１１に嵌合する嵌合孔６２１と、嵌合孔６２１から半径方向に所定寸法離れた箇所に形成された、第１施錠杆６３の一端が枢着される第１連結孔６２２と、水平方向で嵌合孔６２１と第１連結孔６２２と同角度で下方に位置し、第２施錠杆６４の一端が枢着される第２連結孔６２３を有している。
【００１８】
第１施錠杆６３は、前記作動板６２の第１連結孔６２２と枢軸を介して連結される作動板第１連結孔６３１と、基台５の左枠内面に取り付けられた第１施錠杆取付座５５に、取付軸５５１を介して回動かつ前後動可能に連結される長孔６３２と、シリンダー錠６１に設けられたキー溝に合致したキーの回転に連動する作動板６２の回動に連動して、ベースカバー２３（移動棚体支持台２）の所定位置に形成された係合孔２３０に係脱自在な、長孔６３２と作動板連結孔６３１間で下方に突出する係合突起６３０を有している。
【００１９】
尚、実施例では、係合突起６３０の左右方向の厚みに合致する寸法とした、前記係合突起６３０が嵌入する嵌入孔７０を有する振れ止め座７が、左枠５１の下端部に取り付けられている。そして、振れ止め座７は強度アップのため相当の厚みとすることで、地震時等で移動棚列が左右方向に揺れ、係合孔２３０の端面に係合突起６３０が衝突した場合でも、第１施錠杆６３が変形するのを防止している。
また、振れ止め座７が別部材として構成されているので、係合孔２３０は、係合突起６３０に対して余裕を持たせた大きさに設定できる。そして該移動棚の組立時に、係合突起６３０の実際の位置に合わせて振れ止め座７が左枠５１の下端部に取り付けられる。そのため、係合突起６３０と振れ止め座７によって施錠時に発生する移動棚の左右方向の揺れを最小限に抑えることができる。
【００２０】
第２施錠杆６４は、前記作動板６２の第２連結孔６２３と枢軸を介して連結される作動板第２連結孔６４１を一端側に有し、他端は後枠５３に形成された保持孔から後方に突出し、作動板６２の回動に伴って前後動可能に保持されている。
そして、移動棚列を右側に寄せ、移動棚体３・・・より一個多い固定棚体１の前面を引戸１０で覆った状態で、シリンダー錠６１を施錠状態に操作すると、作動板６は図７で反時計廻りの方向に回動し、これに伴って第２施錠杆６４は、図４で右方向に移動し、後端部６４２が後枠５１の後方に大きく突出し、前記引戸１０の開放側に位置し（図３に示す状態）、引戸１０の開放方向への移動を阻止する。
【００２１】
尚、実施例では、第２施錠杆６４の後端部が引戸１０の開放側に位置した状態で、第２施錠杆６４の後端部６４２と引戸１０の開放側の端面１０１とのクリアランスは、係合突起６３０が係合孔２３０内に突出た状態で、係合突起６３０係合孔２３０の端面と係合突起６３０とのクリアランスよりも大きく形成されている。
すなわち、地震時等で移動棚列が左右方向に揺れ、第２施錠杆６４の後端部６４２が引戸１０の開放側端面１０１に衝突する前に、移動棚列の係合孔２３０の端面に係合突起６３０が衝突することによって、第２施錠杆６４、引戸１０に移動棚列の大きな重量物の荷重が掛かるのを防止し、第２施錠杆６４、引戸１０が変形するのを防いでいる。
【産業上の利用可能性】
【００２２】
以上のように、本発明は、移動棚列と、固定棚列の引戸の開放を同時にロックする移動棚の施錠装置に関し、簡単な操作で防盗性、耐震性に優れているので、図書館、倉庫、事務所等で使用される、鋼製の移動棚から、家庭で使用される本棚等にも広く利用することができる。
【符号の説明】
【００２３】
１          固定棚体
１０        引戸
１０１      引戸の開放側端面
２          移動棚体支持台
２１        固定ベース体
２２        レール
２３０      係合孔
３          移動棚体
３１        棚本体
５          基台
５３        走行車輪
６          施錠装置
６１        シリンダー錠
６２        作動板
６３        第１施錠杆
６３０      係合突起
６４        第２施錠杆
６４２      第２施錠杆の後端部
【図１】
2014168488.tif 000003
【図２】
2014168488.tif 000004
【図３】
2014168488.tif 000005
【図４】
2014168488.tif 000006
【図５】
2014168488.tif 000007
【図６】
2014168488.tif 000008
【図７】
2014168488.tif 000009